(57)【要約】【課題】開口率が大きく、しかも各色の表示面積差が小さく、どのような画素ピッチでも対応可能な２ドメインタイプのＦＦＳモードの液晶表示装置を提供すること。【解決手段】本発明のＦＦＳモードの液晶表示装置は、複数のスリット３１Ａが１ピクセル毎に行方向に互いに連結されていると共にそれぞれのスリット３１Ａの端部にはスリット３１Ａの幅方向の中間部において行方向に突出する微小突起部分３１ａが形成され、行方向に隣接するピクセル間の非連結部３９において、行方向に隣接するピクセル３１の微小突起部分３１ａは互いに近接配置されていることを特徴とする。【選択図】図１
2010085810.tif 000002
【特許請求の範囲】
【請求項１】
液晶層を挟持して対向配置された一対の基板を有し、前記一対の基板の一方には、互い
に第１の絶縁膜を挟んでマトリクス状に形成された信号線及び走査線と、前記信号線及び
走査線で囲まれた領域毎に形成された下電極と、前記下電極の表面に形成された第２の絶
縁膜と、前記第２の絶縁膜の表面全体に亘って形成されていると共に複数のスリットが平
行に形成された上電極と、前記上電極及び第２の絶縁膜の表面を被覆するように形成され
た配向膜と、を備え、前記上電極に形成された前記複数のスリットの延在方向はそれぞれ
行方向に対して互いに異なる２方向に傾いている液晶表示装置において、
前記複数のスリットは、１ピクセル毎に行方向に互いに連結されていると共にそれぞれ
のスリットの端部には前記スリットの幅方向の中間部において行方向に突出する微小突起
部分が形成され、前記行方向に隣接するピクセル間の非連結部において、前記行方向に隣
接するピクセルの前記微小突起部分は互いに近接配置されていることを特徴とする液晶表
示装置。
【請求項２】
前記非連結部は平面視で前記信号線と重畳する位置に形成されていることを特徴とする
請求項１に記載の液晶表示装置。
【請求項３】
前記行方向に隣接するピクセルの微小突起部分は互いにジグザグ状に配置されているこ
とを特徴とする請求項１に記載の液晶表示装置。
【請求項４】
前記複数のスリットの延在方向は、それぞれ前記行方向からの傾きをそれぞれ＋α及び
−α（ただし、αは鋭角）としたとき、５°≦α≦２５°の範囲内にあることを特徴とす
る請求項１に記載の液晶表示装置。
【請求項５】
前記下電極は、前記基板に形成された層間膜の表面に形成されていることを特徴とする
請求項１〜４のいずれかに記載の液晶表示装置。
【発明の詳細な説明】
【技術分野】
【０００１】
本発明は、ＦＦＳ（Fringe Field Switching）モードの液晶表示装置に関し、特に、延
在方向が異なる２つのスリット部分が結合された２ドメインタイプのＦＦＳモードの液晶
表示装置に関する。
【背景技術】
【０００２】
液晶表示装置はＣＲＴ（陰極線管）と比較して軽量、薄型、低消費電力という特徴があ
るため、表示用として多くの電子機器に使用されている。液晶表示装置は、配向膜に対し
てラビング処理を行うことにより液晶分子を所定方向に整列させており、これらの液晶分
子の向きを電界により変えて、光の透過量ないし反射量を変化させて画像を表示させるも
のである。
【０００３】
液晶表示装置の液晶層に電界を印加する方法として、縦電界方式のものと横電界方式の
ものとがある。縦電界方式の液晶表示装置は、液晶層を挟んで配置される一対の電極によ
り、概ね縦方向の電界を液晶分子に印加するものである。この縦電界方式の液晶表示装置
としては、ＴＮ（Twisted Nematic）モード、ＶＡ（Vertical Alignment）モード、ＭＶ
Ａ（Multi-domain Vertical Alignment）モード等のものが知られている。横電界方式の
液晶表示装置は、液晶層を挟んで配設される一対の基板のうちの一方の液晶層側に一対の
電極を互いに絶縁して設け、概ね横方向の電界を液晶分子に対して印加するものである。
この横電界方式の液晶表示装置としては、一対の電極が平面視で重ならないＩＰＳ（In-P
lane Switching）モードのものと、平面視で重なるＦＦＳモードのものとが知られている
。
【０００４】
このうち、ＦＦＳモードの液晶表示装置は、絶縁膜を介して上電極と下電極とからなる
一対の電極をそれぞれ異なる層に配置し、上電極にスリットの開口を設け、このスリット
を通る概ね横方向の電界を液晶層に印加するものである。このＦＦＳモードの液晶表示装
置は、広い視野角を得ることができると共に画像コントラストを改善できるという効果が
あるので、近年、多く用いられるようになってきている。
【０００５】
上述のように、ＦＦＳモードの液晶表示装置においては、上電極に形成する複数のスリ
ットの延在方向を斜め方向の一方向、すなわち１ドメインタイプとなるようにすると、ス
リット間ないし電極間の間隔を一定とすることができるため、高開口率及び高透過率を達
成することができる。また、上電極に形成する複数のスリットの延在方向を２方向、すな
わち２ドメインタイプとなるように形成すると、コントラストや視野角特性を改善するこ
とができる（下記特許文献１及び２参照）。しかしながら、２ドメインタイプとすると、
スリットの延在方向を二方向に分けた部分でスリット間ないし電極間の間隔が大きくなっ
た箇所が存在する。このようなスリット間ないし電極間の間隔が大きくなった箇所は表示
に有効に利用できないため、開口率が実質的に低下する。そこで、下記特許文献３に開示
されているＦＦＳモードの液晶表示装置では、異なる方向に延在するスリットを連結し、
端部の数を減らすことによって２ドメイン化と共に開口率の増大化を達成している。
【特許文献１】特開２０００−０１０１１０号公報
【特許文献２】特開２００２−１８２２３０号公報
【特許文献３】特開２００７−２６４２３１号公報
【発明の開示】
【発明が解決しようとする課題】
【０００６】
上述のように、延在方向が異なる２つのスリットを形成すると、それぞれのスリットの
側において液晶分子の配向方向が異なるドメインが形成されるため、高開口率かつ広視野
角特性が得られるという利点がある。このうち、特に横スリット型の２ドメインタイプの
ＦＦＳモードの液晶表示装置は、表示ムラが少ないことや量産性に優れていることから、
多くの形式のものが作製されている。しかしながら、横スリット型の２ドメイン化された
ＦＦＳモードの液晶表示装置では、スリットを形成できない領域やスイッチング素子とし
てのＴＦＴ（Thin Film Transistor)の存在領域等の非表示領域の占める領域が多くなる
。近年の液晶表示装置の高精細化の進展に伴って、個々の画素の表示領域の面積が小さく
なっているため、明るい表示を可能とするためにより開口率が大きい液晶表示装置が要望
されるようになっている。
【０００７】
本発明は上記問題点に鑑みてなされたものであって、本発明の目的は、横スリット型の
ＦＦＳモードの液晶表示装置において、開口率が大きく、しかも各色の表示面積差が小さ
く、どのような画素ピッチでも対応可能な２ドメインタイプのＦＦＳモードの液晶表示装
置を提供することを目的とする。
【課題を解決するための手段】
【０００８】
上記目的を達成するため、本発明の液晶表示装置は、液晶層を挟持して対向配置された
一対の基板を有し、前記一対の基板の一方には、互いに第１の絶縁膜を挟んでマトリクス
状に形成された信号線及び走査線と、前記信号線及び走査線で囲まれた領域毎に形成され
た下電極と、前記下電極の表面に形成された第２の絶縁膜と、前記第２の絶縁膜の表面全
体に亘って形成されていると共に複数のスリットが平行に形成された上電極と、前記上電
極及び第２の絶縁膜の表面を被覆するように形成された配向膜と、を備え、前記上電極に
形成された前記複数のスリットの延在方向はそれぞれ行方向に対して互いに異なる２方向
に傾いている液晶表示装置において、前記複数のスリットは、１ピクセル毎に行方向に互
いに連結されていると共にそれぞれのスリットの端部には前記スリットの幅方向の中間部
において行方向に突出する微小突起部分が形成され、前記行方向に隣接するピクセル間の
非連結部において、前記行方向に隣接するピクセルの前記微小突起部分は互いに近接配置
されていることを特徴とする。
【０００９】
本発明の液晶表示装置は、下電極の表面に形成された第２の絶縁膜と、前記第２の絶縁
膜の表面全体に亘って形成されていると共に複数のスリットが平行に形成された上電極と
、前記上電極及び第２の絶縁膜の表面を被覆するように形成された配向膜と、を備え、前
記上電極に形成された前記複数のスリットの延在方向はそれぞれ行方向に対して互いに異
なる２方向に傾いた構成を備えている。かかる構成により、本発明の液晶表示装置は行方
向すなわち横方向にスリットが形成された２ドメインタイプのＦＦＳモードで作動する液
晶表示装置として作動する。
【００１０】
なお、本発明における「行方向」とは、液晶表示装置の走査線と平行な方向を意味する
。また、本発明における「１ピクセル」とは、白色表示可能な隣接する複数の色のサブ画
素の組合せを意味する。例えば、各サブ画素が赤（Ｒ）、緑（Ｇ）、青（Ｂ）の３原色か
らなる場合、Ｒ，Ｇ及びＢの３サブ画素で１ピクセルとなる。また、本発明の液晶表示装
置における上電極は、第２の絶縁膜の表面全体に亘って形成されているので、共通電極と
して作動する。
【００１１】
そして、本発明の液晶表示装置は、複数のスリットは、１ピクセル毎に行方向に互いに
連結されていると共にそれぞれのスリットの端部には前記スリットの幅方向の中間部にお
いて行方向に突出する微小突起部分が形成され、前記行方向に隣接するピクセル間の非連
結部において、前記行方向に隣接するピクセルの前記微小突起部分は互いに近接配置され
ている。
【００１２】
上電極に形成されているスリットを行方向の全てのピクセルについて連結すると、全て
のサブ画素においてディスクリネーションの生成領域が生じず、しかも高開口率を実現で
き、更に、各色のサブ画素毎の表示面積も全て等しくすることができる。しかしながら、
液晶表示装置は、液晶表示装置のサイズや精細度に応じて画素ピッチが変化する。上電極
に形成されているスリットが行方向の全てのピクセルについて連結されている場合、画素
ピッチの変化に対応させるためには上電極に形成されているスリットの角度を変化させる
必要がある。このように上電極に形成されているスリットの角度を変化させると、液晶表
示装置の光学特性がバラバラになってしまうため、量産には適さない。加えて、上電極に
形成されているスリットが行方向の全てのピクセルについて連結されていると、白表示時
に液晶表示装置の表示面側から押圧された際にリップルが発生し、表示ムラが生じること
がある。
【００１３】
また、上電極に形成されている複数のスリットを単に１ピクセル毎に行方向に互いに連
結した場合には、１ピクセル内で複数のスリットを行方向に連結しない場合よりも開口率
を向上させることができるが、１ピクセルの行方向の両端部の存在のために各色のサブ画
素毎の表示面積が異なってしまうため、色設計が複雑となる。
【００１４】
しかしながら、本発明の液晶表示装置においては、上電極に形成されているスリットが
１ピクセル毎に行方向に互いに連結されていると共にそれぞれのスリットの端部には前記
スリットの幅方向の中間部において行方向に突出する微小突起部分が形成され、行方向に
隣接するピクセル間の非連結部において、行方向に隣接するピクセルの微小突起部分は互
いに近接配置されている。このような構成とすると、非連結部において、隣接するピクセ
ルの微小突起部分同士の距離が近いため、光学的にはスリットが連続的に連結されている
状態と見なせるようになる。
【００１５】
そのため、本発明の液晶表示装置によれば、非連結部のディスクリネーション発生領域
を小さくすることができるとともに、各色のサブ画素毎の表示面積をほぼ同一とすること
ができる。しかも、非連結部においては、近接配置されている行方向に隣接するピクセル
の微小突起部分同士の距離を変えることができるため、画素ピッチによらず同一のスリッ
ト角度で設計できるようになる。加えて、本発明の液晶表示装置においては、１ピクセル
毎にスリット端部が形成されているので、白表示時に液晶表示装置の表示面側から押圧さ
れた際にリップルが発生し難くなる。
【００１６】
また、本発明の液晶表示装置においては、前記非連結部は平面視で前記信号線と重畳す
る位置に形成されていることが好ましい。
【００１７】
信号線は金属材料で形成されるために不透明である。そのため、非連結部を平面視で信
号線と重畳する位置に形成すれば、特に非連結部を遮光する必要がなくなるので、開口率
が低下することがなくなる。
【００１８】
また、本発明の液晶表示装置においては、前記行方向に隣接するピクセルの微小突起部
分は互いにジグザグ状に配置されていることが好ましい。
【００１９】
行方向に隣接するピクセルの微小突起部分は互いにジグザグ状に配置すると、微小突起
部分間距離をより近くすることができるので、上記本発明の効果が良好に奏される液晶表
示装置が得られる。
【００２０】
また、本発明の液晶表示装置においては、前記複数のスリットの延在方向は、それぞれ
前記行方向からの傾きをそれぞれ＋α及び−α（ただし、αは正の鋭角）としたとき、５
°≦α≦２５°の範囲内にあることが好ましい。
【００２１】
スリットの延在方向が行方向となす鋭角部分の角度αが５°未満であると、実質的に全
てのスリットを一方向に平行に形成した場合と同様になり、視野角特性の向上効果が失わ
れる。スリットの延在方向が行方向となす鋭角部の角度αが２５°を超えると、視野角特
性は良好となるが、液晶の配向方向が異なるドメインの境界が目立つようになるので、表
示画質の低下に繋がる。本発明の液晶表示装置によれば、スリットの延在方向が行方向と
なす鋭角部分の角度αを５°〜２５°としたので、良好な視野角特性を達成した上で表示
画質が良好な液晶表示装置が得られる。
【００２２】
また、本発明の液晶表示装置においては、前記下電極は、前記基板に形成された層間膜
の表面に形成されていることが好ましい。
【００２３】
下電極が前記基板に形成された層間膜の表面に形成されていると、ＦＦＳモードの液晶
表示装置を構成する下電極、絶縁膜及び上電極が全て層間膜上に配置されることになる。
そのため、係る態様の液晶表示装置によれば、各画素領域の広い面積範囲に渉って上電極
及び下電極を配置することができるようになり、開口率がより大きく明るい表示が可能な
ＦＦＳモードの液晶表示装置が得られる。なお、層間膜としては、透明性が良好で、電気
絶縁性に優れた感光性又は非感光性の樹脂材料を適宜選択して使用し得る。
【発明を実施するための最良の形態】
【００２４】
以下、実施例、比較例及び図面を参照して本発明の最良の実施形態を説明する。ただし
、以下に示す実施形態は、本発明の技術思想を具体化するための一例を示すものであって
、本発明を実施形態の液晶表示装置に特定することを意図するものではなく、特許請求の
範囲に含まれるその他の実施形態のものも等しく適応しうるものである。なお、この明細
書における説明のために用いられた各図面においては、各層や各部材を図面上で認識可能
な程度の大きさとするため、各層や各部材毎に縮尺を異ならせて表示しており、必ずしも
実際の寸法に比例して表示されているものではない。
【００２５】
図１は実施例の液晶表示装置のカラーフィルタ基板を透視して表したアレイ基板の１ピ
クセル分の平面図である。図２は図１のII−II線断面図である。図３Ａは実施例の上電極
製造用パターンを示す図であり、図３Ｂはその部分拡大図である。図４は比較例１の液晶
表示装置のカラーフィルタ基板を透視して表したアレイ基板の１ピクセル分の平面図であ
る。図５は比較例１の上電極製造用パターンの３サブ画素分の平面図である。図６は比較
例２の液晶表示装置のカラーフィルタ基板を透視して表したアレイ基板の１ピクセル分の
平面図である。図７は比較例２の上電極製造用パターンの３サブ画素分の平面図である。
【実施例１】
【００２６】
実施例に係る液晶表示装置１０Ａを図１〜図３を用いて説明する。実施例に係る液晶表
示装置１０Ａは、図２に示すように、液晶層１１をアレイ基板１２及びカラーフィルタ基
板１３との間に挟持している。液晶層１１の厚みは図示しない柱状スペーサによって均一
に維持されている。また、アレイ基板１２の背面及びカラーフィルタ基板１３の前面には
それぞれ偏光板（図示せず）が形成されている。そして、アレイ基板１２の背面側からバ
ックライト（図示せず）により光が照射されている。
【００２７】
アレイ基板１２は、ガラスや石英、プラスチック等からなる第１基板本体１８の液晶層
１１側に、複数の走査線１９が平行に形成されている。この走査線１９は、アルミニウム
金属、アルミニウム合金、モリブデン等の不透明な金属で形成され、図１における行方向
（横方向）に延在している。そして、走査線１９及び第１基板本体１８の露出面を覆って
ゲート絶縁膜２０が形成されている。なお、ゲート絶縁膜２０は、本発明の第１の絶縁膜
に対応し、酸化ケイ素ないし窒化ケイ素等の無機絶縁膜から形成されている。
【００２８】
ゲート絶縁膜２０上に、例えば、アモルファスシリコンからなる半導体層２１が形成さ
れており、半導体層２１に一部乗り上げるようにしてソース電極Ｓと、ドレイン電極Ｄと
が形成されている。半導体層２１はゲート絶縁膜２０を介して走査線１９の部分的に太く
された領域と対向配置されており、この走査線１９の部分的に太くされた領域がＴＦＴの
ゲート電極Ｇを構成している。ソース電極Ｓは信号線２２から分岐した部分からなる。信
号線２２及びドレイン電極Ｄは、それぞれアルミニウム金属、アルミニウム合金、モリブ
デン等の不透明な金属で形成され、信号線２２は図１の列方向（縦方向）に延在している
。
【００２９】
半導体層２１、ソース電極Ｓ、ドレイン電極Ｄ、信号線２２及びゲート絶縁膜２０の露
出部を覆って、酸化ケイ素ないし窒化ケイ素等の無機絶縁膜からなるパッシベーション膜
２３が形成され、そのパッシベーション膜２３を覆って樹脂材料からなる層間膜２４が形
成されている。また、層間膜２４としては、透明性が良好で、電気絶縁性に優れた感光性
又は非感光性の樹脂材料を適宜選択して使用し得る。層間膜２４を覆うように、ＩＴＯ、
ＩＺＯ等の透明導電材料からなる下電極２５が形成されている。パッシベーション膜２３
及び層間膜２４を貫通してドレイン電極Ｄに達するようにコンタクトホール２６が形成さ
れており、このコンタクトホール２６を介して下電極２５とドレイン電極Ｄとが電気的に
接続されている。そのため、この下電極２５は画素電極として作動する。
【００３０】
下電極２５を覆って酸化ケイ素ないし窒化ケイ素等の無機絶縁膜からなる電極間絶縁膜
２７が形成されている。この電極間絶縁膜２７は、下電極２５及び層間膜２４の表面が荒
れないようにするため、パッシベーション膜２３よりも低温成膜条件で形成される。この
電極間絶縁膜２７が本発明の第２の絶縁膜に対応する。また、下電極２５及びこの電極間
絶縁膜２７の液晶層１１側の表面全体に亘って、ＩＴＯないしＩＺＯからなる透明導電材
料からなる上電極２８が形成されている。この上電極２８は、図１に示したように、１ピ
クセル毎の列方向中央部を中心として列方向に互いに異なる方向に延在するスリット３１
Ａが形成されており、列方向中央部のスリットは互いに「く」字状に連結されている。ま
た、各スリット３１Ａ間には帯状電極部分３２が形成されている。この上電極２８は共通
電極として作動する。なお、上電極２８及びスリット３１Ａの詳細な構成については後述
する。
【００３１】
この上電極２８の表面及びスリット３１Ａの内面は第１配向膜３０が形成され、この配
向膜のラビング方向は、スリット３１Ａの形成状態から、走査線１９の延在方向に向いて
おり、ラビング方向に対してスリット３１Ａの延在方向は５°〜２５°傾いているように
なされる。これにより、下電極２５と上電極２８との間に電界が印加されたとき、列方向
中央部の上下のそれぞれの領域で異なる方向に液晶分子が回転することができるようにな
るため、良好な視野角特性が得られるようになる。
【００３２】
次にカラーフィルタ基板１３について説明する。カラーフィルタ基板１３は、ガラスや
石英、プラスチック等からなる第２基板本体３３を有しており、第２基板本体３３には、
サブ画素毎に異なる色の光（Ｒ、Ｇ、Ｂあるいは無色）を透過するカラーフィルタ層３４
とブラックマトリクス３５が形成されている。カラーフィルタ層３４とブラックマトリク
ス３５を覆うようにしてトップコート層３６が形成されており、トップコート層３６を覆
うようにして例えばポリイミドからなる第２配向膜３７が形成されている。そして、第２
配向膜３７には第１配向膜３０と逆方向のラビング処理が施されている。
【００３３】
そして、上述のように形成されたアレイ基板１２とカラーフィルタ基板１３と対向配置
させ、周縁部をシール材（図示せず）によってシールし、液晶層１１をアレイ基板１２と
カラーフィルタ基板１３の間に形成された密封エリア内に封止することにより実施例の液
晶表示装置１０Ａが得られる。この実施例の液晶表示装置１０Ａにおいては、アレイ基板
１２側の偏光板の透過軸とカラーフィルタ基板１３側の偏光板の透過軸とは互いに直交す
るように配置されており、カラーフィルタ基板１３側の偏光板の透過軸は信号線と平行に
なるように配置されている。このような構成を備えていると、第１配向膜３０のラビング
方向は上電極２８と下電極２５との間に生じる電界の主方向と交差する方向となる。そし
て、初期状態ではラビング方向に沿って平行に配向している液晶層１１の液晶分子は、上
電極２８と下電極２５との間への電圧印加によって、上記電界の主方向側へ回転して再配
向する。この初期配向状態と電圧印加時の配向状態との差異に基づいて各サブ画素の明暗
表示が行われる。
【００３４】
ここで、実施例の液晶表示装置１０Ａの上電極２８に形成されたスリット３１Ａの具体
的構成について説明する。実施例の液晶表示装置１０Ａの複数のスリット３１Ａは、１ピ
クセル（３サブ画素）毎に行方向に互いに連結されていると共にそれぞれのスリット３１
Ａの端部にはスリット３１Ａの幅方向の中間部において行方向に突出する微小突起部分３
１ａが形成されている。そして、このスリット３１Ａの微小突起部分３１ａは、行方向に
隣接するピクセル間の非連結部３９において、行方向に隣接するピクセルの微小突起部分
３１ａと互いに近接配置されている。
【００３５】
上電極２８に形成されるスリット３１Ａは、電極間絶縁膜２７の表面にＩＴＯないしＩ
ＺＯ膜を形成した後、フォトリソグラフィー法によってエッチングすることにより形成さ
れるが、このとき使用されるマスクの平面図を図３Ａ及び図３Ｂに示した。この実施例で
使用するマスク４０Ａは、透明基板上に遮光性部材で形成されているスリットパターン４
２が形成されており、残りの部分が透明な上電極パターン４１となっている。そして、ス
リットパターン４２の両端部には、スリットパターン４２の幅方向の中間部に、微小突起
パターン４３が行方向に突出するように形成されている。この微小突起パターン４３は、
図３Ｂに示したように方形状とされているが、このマスク４０Ａを用いて形成された上電
極２８の微小突起部分３１ａの形状は、露光光の回折や散乱等の影響を受けて、図１に示
したように、なだらかな曲線状となる。
【００３６】
そして、実施例の液晶表示装置１０Ａにおいては、行方向に隣接するピクセルの微小突
起部分３１ａは、微小突起部分３１ａの間の距離をできるだけ近くすることができるよう
にするため、互いにジグザグ状に配置されている。このように微小突起部分３１ａの間隔
が近くなるように配置すると、非連結部３９において、光学的にはスリットが連続的に連
結されている状態と見なせるようになる。なお、実施例の液晶表示装置１０Ａにおいては
、非連結部３９は平面視で信号線２２と重畳する位置に形成されているので、特に非連結
部を遮光するための手段を別途設ける必要はなくなる。
【００３７】
また、実施例の液晶表示装置１０Ａによれば、微小突起部分３１ａの間隔が近いため、
ディスクリネーション発生領域を小さくすることができるとともに、各色のサブ画素毎の
表示面積をほぼ同一とすることができる。しかも、非連結部３９においては、近接配置さ
れている行方向に隣接するピクセルの微小突起部分３１ａ同士の距離を変えることができ
るため、画素ピッチによらず同一のスリット角度で設計できるようになる。加えて、実施
例の液晶表示装置１０Ａは、１ピクセル毎にスリット端部が形成されているので、白表示
時に液晶表示装置１０Ａの表示面側から押圧されても、リップルが発生し難くなる。
【００３８】
なお、実施例の液晶表示装置１０Ａにおいては、複数のスリット３１Ａの延在方向は、
それぞれ行方向からの傾きをそれぞれ＋α及び−α（ただし、αは正の鋭角）としたとき
、５°≦α≦２５°の範囲内にあることが好ましい。スリット３１Ａの延在方向が行方向
となす鋭角部分の角度αが５°未満であると、実質的に全てのスリット３１Ａを一方向に
平行に形成した場合、すなわち１ドメインタイプのＦＦＳモードの液晶表示装置とした場
合と同様になるので、視野角特性の向上効果が失われる。また、スリット３１Ａの延在方
向が行方向となす鋭角部の角度αが２５°を超えると、視野角特性は良好となるが、液晶
の配向方向が異なるドメインの境界が目立つようになるので、表示画質の低下に繋がる。
そこで、スリット３１Ａの延在方向が行方向となす鋭角部分の角度αを５°〜２５°とす
ると、良好な視野角特性を達成した上で表示画質が良好な液晶表示装置１０Ａが得られる
。
【００３９】
［比較例１〜３］
本発明の効果を確認するため、以下において比較例１の液晶表示装置を図４及び図５を
用いて、比較例２の液晶表示装置を図６及び図７を用いて、更に、比較例３の液晶表示装
置を図８を用いて説明する。なお、比較例１〜比較例３の液晶表示装置における図１のII
−II線に対応する部分の断面図は全て図２と同様であるので図示省略する。また、図４〜
図８においては図１〜図３に示した実施例の液晶表示装置１０Ａと同一構成部分には同一
の参照符合を付与してその詳細な説明は省略する。
【００４０】
比較例１の液晶表示装置１０Ｂの上電極２８に形成される複数のスリット３１Ｂはサブ
画素毎に分離されている。それぞれのスリット３１Ｂの端部には、微小突起部分３１ｂが
スリット３１Ｂの幅方向の一方の端部においてスリット３１Ｂの両端部で互いに反対方向
となるように形成されている。そして、このスリット３１Ｂの微小突起部分３１ｂは、行
方向に隣接するピクセル間の非連結部３９においては、それぞれのサブ画素内に位置する
ように、平面視で走査線１９とは重畳しないように形成されている。
【００４１】
比較例１の上電極２８の製造に使用されるマスク４０Ｂの平面図を図５に示した。この
比較例１で使用するマスク４０Ｂは、透明基板上に遮光性部材で形成されているスリット
パターン４２が形成されており、残りの部分が透明な上電極パターン４１となっている。
そして、スリットパターン４２の両端部には、スリットパターン４２の幅方向の一方側の
端部に、微小突起パターン４３が、スリットパターン４２の両端で互いに反対方向となる
ように、突出するように形成されている。この微小突起パターン４３は、スリットの端部
を狭くしてディスクリネーション生成領域をこの狭い領域に集中させるために設けられて
いるものである。このスリットパターン４２及び微小突起パターン４３以外の部分が上電
極パターン４１となる。
【００４２】
この上電極製造用マスク４０Ｂを用いて作製された比較例１の液晶表示装置１０Ｂは、
図４に示したように、典型的な横２ドメインタイプのＦＦＳモードの液晶表示装置となり
、点灯しない非表示領域の占有面積が大きく、表示開口率を向上させることが困難である
ことが理解できる。しかも、比較例１の液晶表示装置１０Ｂは、サブ画素毎にスリット３
１Ｂの端部が形成されているので、サブ画素毎にディスクリネーション生成領域が生じる
が、白表示時に液晶表示装置の表面から押圧されてもリップルは発生し難い。
【００４３】
比較例２の液晶表示装置１０Ｃの上電極２８に形成される複数のスリット３１Ｃは、図
６に示したように、１ピクセル毎に行方向に連結されている。それぞれのスリット３１Ｃ
の端部には、微小突起部分３１ｃがスリット３１Ｃの幅方向の一方の端部においてスリッ
ト３１Ｃの両端部で互いに反対方向となるように形成されている。そして、このスリット
３１Ｃの微小突起部分３１ｃは、行方向に隣接するピクセル間の非連結部３９においては
、それぞれのサブ画素内に位置するように、平面視で走査線１９とは重畳しないように形
成されている。
【００４４】
比較例２の上電極２８の製造に使用されるマスク４０Ｃの平面図を図７に示した。この
比較例２で使用するマスク４０Ｃは、透明基板上に遮光性部材で形成されているスリット
パターン４２が形成されており、残りの部分が透明な上電極パターン４１となっている。
そして、スリットパターン４２の両端部には、スリットパターン４２の幅方向の一方側の
端部に、微小突起パターン４３が、スリットパターン４２の両端で互いに反対方向となる
ように、突出するように形成されている。このスリットパターン４２及び微小突起パター
ン４３以外の部分が上電極パターン４１となる。
【００４５】
この上電極製造用マスク４０Ｃを用いて作製された比較例２の液晶表示装置１０Ｃでは
、点灯する部分の相対的な面積は比較例１の液晶表示装置１０Ｂの場合よりも広くなって
いるが、それぞれのサブ画素の点灯する部分の面積が相違していることが分かる。このよ
うな現象が生じる理由は、１ピクセルの両端部のサブ画素でスリット３１Ｃに端部が形成
されているのに対し、中央のサブ画素（図７ＢではＧ）のスリット３１Ｃには端部が形成
されていないためである。このようにサブ画素の点灯する部分の面積が相違していると、
液晶表示装置の色設計が複雑となってしまう。なお、比較例２の液晶表示装置１０Ｃでは
、１ピクセルの両側のサブ画素ではディスクリネーション生成領域が生じるが、中央のサ
ブ画素にはディスクリネーション生成領域が生じておらず、また、白表示時に液晶表示装
置の表面から押圧された場合にはリップルが発生することがある。
【００４６】
更に、比較例３の上電極製造用マスク４０Ｄは、図８に示したように、複数のスリット
パターン４２を行方向の全てのピクセルについて連結したものである。この場合も、スリ
ットパターン４２以外の部分が上電極パターン４１となる。なお、比較例３の上電極製造
用マスク４０Ｄを用いて作製された液晶表示装置のカラーフィルタ基板を透視して表した
アレイ基板の１ピクセル分の平面図は、非連結部３９が存在しない以外は図１に示した実
施例の液晶表示装置１０Ａの場合と同様であるので、図示省略する。
【００４７】
このような上電極製造用マスク４０Ｄを用いて液晶表示装置を作製すると、理論的に、
全てのサブ画素においてディスクリネーションの生成領域が生じず、しかも高開口率を実
現でき、更に、各色のサブ画素毎の表示面積も全て等しくすることができる。しかしなが
ら、液晶表示装置は、液晶表示装置のサイズや精細度に応じて画素ピッチが変化するため
、比較例３の液晶表示装置では、画素ピッチの変化に対応させるためには上電極２８に形
成されているスリットの角度を変化させる必要がある。このように上電極２８に形成され
ているスリットの角度を変化させると、液晶表示装置の光学特性がバラバラになってしま
うため、量産には適さない。加えて、比較例３の液晶表示装置では、白表示時に液晶表示
装置の表示面側から押圧された際にリップルが発生し、表示ムラが生じることがある。
【００４８】
上述した比較例１〜３の液晶表示装置の場合と対比すると、実施例の液晶表示装置１０
Ａは、上電極２８に形成されているスリット３１Ａが１ピクセル毎に行方向に互いに連結
されていると共にそれぞれのスリット３１Ａの端部にはスリット３１Ａの幅方向の中間部
において行方向に突出する微小突起部分３１ａが形成され、行方向に隣接するピクセル間
の非連結部３９において、行方向に隣接するピクセルの微小突起部分３１ａが互いに近接
配置されている点に特徴を有する。
【００４９】
そのため、実施例の液晶表示装置１０Ａは、非連結部３９において、隣接するピクセル
の微小突起部分３１ａ同士の距離が近いので、光学的にはスリット３１Ａが連続的に連結
されている状態と見なせるようになる。従って、実施例の液晶表示装置１０Ａによれば、
非連結部３９のディスクリネーション発生領域を小さくすることができるとともに、各色
のサブ画素毎の表示面積をほぼ同一とすることができる。しかも、非連結部３９において
は、近接配置されている行方向に隣接するピクセルの微小突起部分３１ａ同士の距離を変
えることができるため、画素ピッチによらず同一のスリット角度で設計できるようになる
。加えて、実施例の液晶表示装置１０Ａにおいては、１ピクセル毎にスリット端部が形成
されているので、白表示時に液晶表示装置１０Ａの表示面側から押圧された際にリップル
が発生し難くなる。
【００５０】
なお、実施例の液晶表示装置１０Ａとしては、下電極２５が層間膜２４の表面に形成さ
れている例を示した。このように下電極２５が層間膜２４の表面に形成されていると、Ｆ
ＦＳモードの液晶表示装置１０Ａを構成する下電極２５、電極間絶縁膜２７及び上電極２
８が全て層間膜２４上に配置されることになる。そのため、実施例の液晶表示装置１０Ａ
によれば、各画素領域の広い面積範囲に渉って上電極２８及び下電極２５を配置すること
ができるようになるので、開口率がより大きく明るい表示が可能なＦＦＳモードの液晶表
示装置１０Ａが得られる。この層間膜２４の形成材料としては、透明性が良好で、電気絶
縁性に優れた感光性又は非感光性の樹脂材料を適宜選択して使用することができる。
【図面の簡単な説明】
【００５１】
【図１】実施例の液晶表示装置のカラーフィルタ基板を透視して表したアレイ基板の１ピクセル分の平面図である。
【図２】図１のII−II線断面図である。
【図３】図３Ａは実施例の上電極製造用マスクのＣＡＤパターンを示す図であり、図３Ｂはその部分拡大図である。
【図４】比較例１の液晶表示装置のカラーフィルタ基板を透視して表したアレイ基板の１ピクセル分の平面図である。
【図５】図５は比較例１の上電極製造用のマスクの３サブ画素分の平面図である。
【図６】比較例２の液晶表示装置のカラーフィルタ基板を透視して表したアレイ基板の１ピクセル分の平面図である。
【図７】図７は比較例２の上電極製造用のマスクの３サブ画素分の平面図である。
【図８】比較例３の上電極製造用のマスクの３サブ画素分の平面図である。
【００５２】
１０Ａ〜１０Ｃ：液晶表示装置  １１：液晶層  １２：アレイ基板  １３：カラーフィル
タ基板  １８：第１基板本体  １９：走査線  ２０：ゲート絶縁膜  ２１：半導体層  ２
２：信号線  ２３：パッシベーション膜  ２４：層間膜  ２５：下電極  ２６：コンタク
トホール  ２７：電極間絶縁膜  ２８：上電極  ３０：第１配向膜  ３１：スリット  ３
１ａ〜３１ｃ：（スリットの）微小突起部分  ３２：帯状電極部分  ３３：第２基板本体
３４：カラーフィルタ層  ３５：ブラックマトリクス  ３６：トップコート層  ３７：
第２配向膜  ３９：非連結部  ４０Ａ〜４０Ｄ：マスク  ４１：上電極パターン  ４２：
スリットパターン  ４３：（スリットの）微小突起パターン
【図１】
2010085810.tif 000003
【図２】
2010085810.tif 000004
【図４】
2010085810.tif 000005
【図６】
2010085810.tif 000006
【図３】
2010085810.tif 000007
【図５】
2010085810.tif 000008
【図７】
2010085810.tif 000009
【図８】
2010085810.tif 000010